(57)【要約】【課題】視覚的に魅力があって快適に感じられるジェットパターンを生成するシャワーヘッドを提供する。【解決手段】シャワーヘッドがその内部に４つのノズル要素（１９）を含み、ノズル要素の前端がジェットディスク（２）の漏斗状穴（２１）のなかで支承されている。ノズル要素の後端が各１つのディスク（１６）内で偏心支承されており、このディスクは固定軸線（１４）の周りをタービンホイール（１０）によって回転することができる。これにより、水を流出させるノズル要素はジェットディスクに直角に延びる軸線の周りで揺動運動を行う。【選択図】図１
2004508172.tif 000002
【特許請求の範囲】
【請求項１】
シャワーヘッドであって、
１．１　ハウジングと
１．２　ジェットディスク（１）と
１．３　少なくとも１つのジェット噴出口と
１．４　駆動手段とを有し、
この駆動手段が、
１．４．１　噴出口の軸線の方向をハウジングに対して制御下に連続的に変更するように構成されているシャワーヘッド。
【請求項２】
ジェット噴出口から水の流出する間、駆動手段が作動する、請求項１記載のシャワーヘッド。
【請求項３】
流れる水によって駆動手段が操作される、請求項１または２記載のシャワーヘッド。
【請求項４】
軸線の方向が少なくとも部分的に錐体上、特に円錐体上にあるように軸線の方向が変更される、先行請求項のいずれか１項記載のシャワーヘッド。
【請求項５】
軸線が二重円錐体上にあるように軸線が動かされる、先行請求項のいずれか１項記載のシャワーヘッド。
【請求項６】
錐体の頂点がジェットディスク（１）の領域内にある、請求項４または５記載のシャワーヘッド。
【請求項７】
複数のジェット噴出口を有し、特に駆動手段はそれが２つ以上のジェット噴出口の軸線の方向を好ましくは相互に同期して変更するように構成されている、先行請求項のいずれか１項記載のシャワーヘッド。
【請求項８】
複数のジェット噴出口の軸線の方向が同相で変更される、請求項７記載のシャワーヘッド。
【請求項９】
複数のジェット噴出口の軸線の方向が非同相で変更される、請求項７記載のシャワーヘッド。
【請求項１０】
錐体の軸線がジェットディスク（１）に直角に延びている、請求項４〜１１のいずれか１項記載のシャワーヘッド。
【請求項１１】
ジェット噴出口が、ジェットディスク（１）に対して旋回可能なノズル要素（１９）内に配置されかつ構成されており、このノズル要素が好ましくはジェットディスク（１）の漏斗状穴（２１）のなかで支承されている、先行請求項のいずれか１項記載のシャワーヘッド。
【請求項１２】
ノズル要素（１９）がその後端領域で、駆動手段によって移動可能なディスク（１６）内に係合する、請求項１１記載のシャワーヘッド。
【請求項１３】
すべてのノズル要素（１９）が共通のディスク内に係合する、請求項１２記載のシャワーヘッド。
【請求項１４】
各ノズル要素（１９）が、固定軸線の周りを回転駆動される各１つのディスク（１６）内に係合する、請求項１２記載のシャワーヘッド。
【請求項１５】
ノズル要素（１９）がリンク機構によって駆動され、特に駆動手段とノズル要素（１９）との間にレバーリンク機構が配置されている、請求項１１〜１４のいずれか１項記載のシャワーヘッド。
【発明の詳細な説明】
【０００１】
【発明の属する技術分野】
本発明は、ハウジングと、ジェットディスクと、少なくとも１つのジェット噴出口と駆動手段とを有するシャワーヘッドに関する。
【０００２】
【従来の技術】
シャワーヘッドは固定据付型ヘッドシャワー、サイドシャワーとして、またはホースの一端のハンドシャワーとしても、公知である。このようなシャワーヘッドで放出されるジェットは多種多様である。脈動ジェット、混気ジェット、水量を比較的ゆっくりと変えるジェットが知られている。
【０００３】
【発明が解決しようとする課題】
本発明の課題は、視覚的に魅力があって快適に感じられるジェットパターンを生成するシャワーヘッドを提供することである。
【０００４】
【課題を解決するための手段】
この課題を解決するために本発明は請求項１の特徴を有するシャワーヘッドを提案する。本発明の諸構成は従属請求項の対象であり、それらの文言も要約書の文言もここで参照することによって本明細書の内容とされる。
【０００５】
公知のシャワーではジェットの量が、また場合によってはジェットの形状も、変更されるのに対して、シャワーヘッドから流出する水ジェットの方向もはじめて、しかも連続的に、変更される。こうして、固定シャワーヘッドの場合シャワーを浴びる者の皮膚を例えば閉経路に沿って移動するジェットを生成することができる。これにより、身体の比較的大きな領域を濡らすことができるだけでなく、マッサージ効果も達成することができる。但しこのマッサージ効果は従来のマッサージシャワーとは異なる。というのもジェットは同じ場所に留まるのでなく、この場所を変えるからである。
【０００６】
本発明の構成では、ジェット噴出口から水の流出する間、駆動手段が作動するようにすることができる。
【０００７】
流れる水によって駆動手段が操作されると特別好ましい。それゆえに、駆動手段を操作するのに付加的装置が必要でない。
【０００８】
本発明の１構成では、ジェット噴出口の軸線の方向が少なくとも部分的に錐体上、特に円錐体上にあるように軸線の方向は変更されるようにしておくことができる。
【０００９】
本発明によれば、軸線が二重円錐体上にあるように軸線を動かすことがやはり可能である。
【００１０】
本発明は錐体の頂点がジェットディスクの領域内にあることを提案し、こうして公知のシャワーに比べてシャワーの所要スペースも外観も僅かに変化するだけである。
【００１１】
本発明によれば、任意のパターンに配置しておくことのできる複数のジェット噴出口をジェットディスクが有するようにすることができる。
【００１２】
複数のジェット噴出口が設けられている場合、本発明によれば駆動手段はそれが２つ以上のジェット噴出口の軸線の方向を変更するように構成しておくことができる。幾つかのジェット噴出口では方向が変更される一方、他のジェット噴出口はジェットを常に同じ方向に放出するようにすることも当然に可能である。
【００１３】
本発明によれば、複数のジェット噴出口の軸線の方向が同期して変更されるようにすることができる。そのことから、単一の駆動手段から運動を導き出すことができるので、駆動が単純になる。
【００１４】
本発明によれば、複数のジェット噴出口の軸線の方向が同相で変更されるようにすることができ、そのことから視覚的に完結したジェットパターンが得られる。
【００１５】
しかし、方向を非同相で変更可能とすることもできる。
【００１６】
本発明によれば、その周りをジェットが旋回する錐体の軸線はジェットディスクに直角に延びているようにすることができる。
【００１７】
ジェット噴出口の軸線の方向を変更するためにジェットディスク全体を揺動させることも考えられる。本発明は、ジェットディスクに対して旋回可能なノズル要素内にジェット噴出口を配置し、ジェットディスクに対して、したがってハウジングに対してもこのノズル要素を旋回させることによって軸線の方向変更を実行できることを提案する。
【００１８】
特に本発明の１構成では、ジェットディスクの穴のなかでノズル要素、特にノズル要素のジェット噴出端を支承しておくことができる。その場合、シャワーヘッドのハウジングの内部でノズル要素の運動が行われる。それが望ましい限り、ノズル要素をジェットディスクから外方に突出させ、ノズル要素の運動が外部から視認可能とすることも当然可能とし得る。
【００１９】
ノズル要素のこのような揺動運動を許容する弾性装置を利用してノズル要素をジェットディスクで支承することがやはり可能である。
【００２０】
本発明の１構成において、ノズル要素は噴出端から離れた方のその後端領域で、駆動手段によって移動可能なディスク内に係合するようにすることができる。
【００２１】
本発明によれば、すべてのノズル要素が共通のディスク内に係合するようにすることができ、その場合このディスクは例えば円運動で偏心的に動かされ、それ自身が回動することはない。
【００２２】
しかし、シャワーヘッドに対して固定された軸線の周りを回転駆動される各１つのディスク内に各ノズル要素が係合すると特別好ましい。
【００２３】
回転駆動にはタービンを利用することができる。
【００２４】
本発明のその他の特徴、詳細および利点は本発明の好ましい実施形態についての以下の説明から、図面を基に明らかとなる。
【００２５】
【発明の実施の形態】
図１はシャワーヘッドの一部を断面図で示す。ジェットディスク１は僅かな凸面に形成された外面２を有し、この外面に複数の穴３を見ることができる。ジェットディスク１の反対側の裏面４に円筒形延長部５が形成されており、この延長部はシャワーヘッドのハウジングにねじ込むための雄ねじ６を有する。延長部５の配置を後方で施蓋するキャップ７は、その中心に、延長部５内に突出する軸８を有する。この配置の半径方向外面の１箇所に穴９が設けられており、シャワーヘッドに流入する水はこの穴を通して外側から内側へと延長部５に流入できる。
【００２６】
軸８で支承されたタービンホイール１０がハブ１１を有する。ハブ１１は歯車として構成されている‐図４も参照。ハブ１１は半径方向距離を置いてディスク１３の中心穴１２に挿通され、このディスクはジェットディスク１の延長部５内で固定支承されている。ディスク１３が４つの孔１４を有し、これらの孔内でディスク１６の支承突部１５が支承されている。ディスク１６は支承突部１５を利用してディスク１３に対して回動可能である。ディスク１６がその周面領域に歯列１７を有し、この歯列が歯付ハブ１１に噛合う。
【００２７】
それゆえに、タービンホイール１０の回動時にディスク１６が回される。
【００２８】
各ディスク１６は、ディスク１６の回動時に円に沿って回転する穴１８を有する。
【００２９】
図示実施例ではディスク１６とジェットディスク１の内面との間に合計４つのノズル要素１９が配置されている。各ノズル要素１９は、その丸くされた前面２０で、穴３の背後に配置された漏斗状凹部２１内に係合する。穴３の領域でジェットディスク１の厚さはノズル要素１９が漏斗２１から滑り出ることのないように選定されている。
【００３０】
前面２０とは反対側の末端の領域にノズル要素１９が支承突部２２を有し、この支承突部がディスク１６の穴１８に差し込まれている。
【００３１】
ディスク１６のこの支承突部１５はジェットディスク１の穴３の中心点の軸線方向延長上に配置されている。それゆえに、ディスク１６の回動時にノズル要素は支承突部１５と穴３の中心点とを結ぶ線の周りを揺動運動で旋回される。
【００３２】
ノズル要素１９が軸線方向に延びる穴２３を有し、この穴の前面がジェット噴出口を形成する。ノズル要素１９の長さ伸長のほぼ半分の長さでノズル要素が横方向で開口しており‐図３参照‐、ノズル要素１９はタービンホイール１０に近い方の部分がＵリンク２４の形状である。それゆえに両方の開口側２５から水はシャワーヘッドからノズル要素１９に流入し、前端を通してノズル要素から流出できる。それとともに穴２３の軸線が形成する軸線に沿って水ジェットは流出する。
【００３３】
図５はハウジング内に固定配置されるディスク１３を示し、本来このディスクはホイールとして構成されている。中心穴１２の周りにリング２６が形成されており、このリングから４つのスポーク２７が外方に延びている。外側にやはりリング２８が配置されており、このリングが１箇所に切欠き部２９を有する。この切欠き部２９はディスク１３をハウジング内で正しい位置で固定するのに役立つ。
【００３４】
半径方向のほぼ中心でスポーク２７に孔１４が設けられており、これらの孔が歯車１６用支承部を形成する。
【００３５】
水が穴９を通して突部５の内部に流入すると水はまず最初にタービンホイール１０を駆動する。同時に水はディスク１３のスポーク２７間の空隙３０を通してノズル要素１９へと流れ、そこからそれらの穴２３を通して外方に流れる。タービンホイール１０が回動すると、ディスク１６が固定軸線の周りを回転することになる。ディスク１６の回動はノズル要素１９の前記揺動運動を生じる。これは、シャワーヘッドから流出するジェットの方向が連続的に変更され、しかも図示実施例ではその頂点がほぼジェットディスク１内にある円錐体に沿って変更されることを意味する。ノズル要素１９はすべて同じ角速度で動かされる。
【図面の簡単な説明】
【図１】
シャワーヘッドの一部の横断面図である。
【図２】
ノズル要素の拡大側面図である。
【図３】
図２のノズル要素を９０度ずれた方向から見た他の側面図である。
【図４】
駆動手段の一部を形成するタービンの平面図である。
【図５】
４つの回動可能なディスク用の支承部を備えてハウジング内に固定配置されるディスクの平面図である。
【図１】
2004508172.tif 000003
【図２】
2004508172.tif 000004
【図３】
2004508172.tif 000005
【図４】
2004508172.tif 000006
【図５】
2004508172.tif 000007
【国際公開パンフレット】
2004508172.tif 000008
2004508172.tif 000009
2004508172.tif 000010
2004508172.tif 000011
2004508172.tif 000012
2004508172.tif 000013
2004508172.tif 000014
2004508172.tif 000015
2004508172.tif 000016
2004508172.tif 000017
2004508172.tif 000018
2004508172.tif 000019
2004508172.tif 000020
2004508172.tif 000021
【国際調査報告】
2004508172.tif 000022
2004508172.tif 000023
2004508172.tif 000024
2004508172.tif 000025